(57)【要約】【課題】裸眼で至近距離に焦点を合わせることができないような老眼の方でも、不快感を覚えることなく、移動する目標に向かって視線を追従させる訓練ができ、眼筋を積極的に働かせて衰えた筋力を回復させたり、眼筋を鍛えて動体視力を向上させたりすることができる眼の訓練器具を得ることを課題とする。【解決手段】眼球の周囲に、刺激位置を知覚させる刺激発生装置を複数個配置し、配置された刺激発生装置を１カ所ずつ作動させる。使用者に刺激位置を知覚させ、その刺激位置方向を見るような眼の動きをさせることで眼筋のトレーニングをおこなう。【選択図】　　　　図１
2004000318.tif 000002
【特許請求の範囲】
【請求項１】
眼球の外周近傍に刺激位置を知覚させる刺激発生装置を２以上備えたアイマスクであって、既装置を１か所ずつ作動させて使用者の視線を刺激位置に追従させることにより眼筋運動を行うトレーニングアイマスク。
【請求項２】
刺激位置を知覚させる装置が押圧発生装置であることを特徴とする請求項１記載のトレーニングアイマスク。
【請求項３】
刺激位置を知覚させる装置が振動発生装置であることを特徴とする請求項１記載のトレーニングアイマスク。
【請求項４】
刺激位置を知覚させる装置が温熱発生装置であることを特徴とする請求項１記載の眼筋トレーニングアイマスク。
【請求項５】
刺激位置を知覚させる装置が温熱発生装置であることを特徴とする請求項１記載または請求項２記載の眼筋トレーニングアイマスク。
【発明の詳細な説明】
【０００１】
【発明が属する技術分野】
本発明は、移動する目標に向かって視線を追従させることにより眼筋を積極的に働かせて衰えた筋力を回復させたり、スポーツ選手の眼筋を鍛えて動体視力を向上させたりする眼筋のトレーニングアイマスクを得ることを目的とする。
【０００２】
【従来の技術】
従来広く一般的に知られた眼筋トレーニング方法による訓練や、眼筋トレーニング装置を使用する場合には、必ず目標となる何かを視認することを訓練者が要求されていた。体の前で片腕を回し、その移動する指先を目で追うトレーニング法は良く知られ効果の高いことも知られている。しかしその方法によると、少なくとも腕を回転することができる空間が必要であり、また実際にやってみると周囲の風景や部屋の内部風景がぐるぐると一緒に回って見えてしまうので、わずか数分間のトレーニングでも終了時にはめまいを覚え、平衡感覚の衰えた高年齢の方が屋外で起立した姿勢でそれを実行するのは危険でもあった。
【０００３】
そこで過去においてゴーグルタイプのトレーニング装置が数多く開発され、いくつかは市販もされている。それらゴーグルタイプのトレーニング装置によれば、広い空間も必要なく、腕を回したりして疲れることもなく、椅子に座ったままでもベッドに寝たままでもトレーニングが行えるので、めまいを覚えて倒れるなどの危険性もなく安全性も向上した。しかし、ゴーグルタイプのトレーニング装置はいずれも映像や発光ダイオードなどの光点を、実際に目で追わせるものばかりであった。近視の方ならば至近距離の映像や光点をはっきりと視認することができるのであろうが、遠視の方、または若かった頃に遠くがよく見えた方で老眼になられた方などでは至近距離の映像や光点をはっきりと視認することはほとんどできず、眼鏡の使用を強いられたり、あるいは日常生活用に使用している眼鏡レベルでは至近距離の目標をはっきりと視認することができなかったりするので、トレーニング自体がとてもつらいものとなり、たとえ３分でも毎日続ける、というような基本的なことができなくなってしまっていた。
【０００４】
【発明が解決しようとする課題】
一般的に人は３０歳代に入ると老眼になりはじめ、４０歳代に入ると老眼の進行は加速される。これは肉体的な老化に伴うものなので、一部例外的に視力がほとんど変化しない人を除いて、大半の人は老眼となってゆく。近視の人は、老眼になっても近くのものを見ることができるのが一般的であるが、若いときに視力が１．５〜２．０もあったような人が老眼になると、たいていの場合、目からの距離が２０ｃｍ以内の至近距離に焦点を合わせることはほとんどできず、市販薬の外箱に印刷されているような説明書の小さな文字などを読むことはほぼ不可能となってしまう。本発明は、裸眼で至近距離に焦点を合わせることができないような老眼の方や遠視の方でも、「目標をはっきりと視認することができなくてイライラする、目標を追いかけるのがつらい。」といった不快感を覚えることなく、移動する目標に向かって視線を追従させることにより眼筋を積極的に働かせて衰えた筋力を回復させたり、スポーツ選手の眼筋を鍛えて動体視力を向上させたりすることができる眼筋のトレーニングアイマスクを得ることを課題とする。
【０００５】
【課題を解決するための手段】
前記の課題は、前記各請求項に記載された手段によって達成される。
【０００６】
【発明の実施の形態】
具体的な実施形態を図１にて示す。ゴーグル形態の本体１と、顔面への接触部２ａ〜２ｊを備えた軟質体３とが外観をなす主たる構成要素であって、本体１には電源スイッチ４やトレーニングの難易度を切り替えるモードスイッチ５が取り付けられている。軟質体の具体例は軟質のゴム膜、発砲ゴム、軟質発泡ウレタンなどである。電源をアダプターを介して外部より取り入れるタイプにした場合などには、電源用ジャック６なども備えられるが、乾電池を本体に内蔵するタイプとすればそれは不要となる。接触部の内側に備えられた刺激発生装置をプログラムどおりに順次作動させるための基本制御装置は本体内部に備えるのが一般的であるが、「今度はもう少し速くしてみましょう。」とか「ここで２分間の休憩をとります。優しい感じの音楽を流しますので気持ちをリラックスさせ、十分に目を休ませて下さい。」というような内容のトレーニングガイダンスや音楽などをヘッドフォンを通じて流す方法等による場合には、パソコンや専用の外部機器を併用したりすることになるので、制御信号を外部から取り込むための制御用ジャック７を備えることにより本体外に基本制御装置を備えることもできる。また専任のトレーナーがついて使用者の個人的な眼の健康状態に応じたトレーニングを行う時には、図１のような１０カ所の接触部を備えた実施例においては、同時に２カ所以上のスイッチが入らないようにした１０方位ジョイスティックを用いて手動で刺激位置を知覚させる方法も有効であり、その場合にはスイッチと刺激装置とを１対１で対応させる直結状態にすることにより、特別なプログラムで作動させるような制御装置は不要となる。図２は両眼の左右外側２カ所の顔面への接触部を、ほぼこめかみの位置としたサングラスタイプの実施例の参考図である。各符号は全て図１の実施例と対応しているが、電源スイッチ４、モードスイッチ５、電源用ジャック６、制御用ジャック７は本体より分離されている。
【０００７】
【発明の実施例】
以下、本発明を実施例によって具体的に説明する。図３〜図５は、本発明に係る眼筋トレーニングアイマスクの実施例を顔面に装着した状態を説明する略式図であって、図中の黒い点は刺激位置を知覚させる装置の顔面への接触部位を示す。
【０００８】
図３のように最低４カ所の接触部位を備えれば、ある程度狭い範囲ではあるものの、およその４コーナーに視線を向けることにより眼球は少なくとも上下左右の動きに近い動きをすることになるので、眼筋の軽いジョギング状態を作り出すことが十分にできる。少々高齢な方の老眼進行を予防する目的には「無理をさせない。」という意味からも適しており、接触部位に係る部品点数も少ないので最も安価に装置を提供できる実施形態である。
【０００９】
図４のように６カ所の接触部位を備えれば、左右各々の眼球に対してほぼ十分な上下左右の方向指示と、およその斜め上下方向指示とを行うことができるので、一般的な眼筋の運動不足をほぼ解消でき、血行を良くして老化を予防する目的には十分であり、また接触部位に係る部品点数も図２の実施例の４に対して２しか増えないので、わずかなコスト上昇の割には効果が大きい実施例である。
【００１０】
図５のように１２カ所の接触部位を備えれば、左右各々の眼球に対して、上下左右の方向指示と斜め４５度方向指示の８方向指示を、ほぼ完全に行うことができる。この実施例は老化予防というよりも、指示点の移動のスピードを上げてゆくことによれば、ハードで正確な眼球の動きを要求されるスポーツ選手の眼筋訓練に最も望ましい実施形態である。
【００１１】
図６は刺激位置を知覚させる装置が押圧発生装置である実施例の略断面説明図である。本体１の内部に備えられた電磁石８には磁石棒９が貫通するように備えられており、電磁石８は通電されることにより磁石棒９を軟質体３を押す方向に動かし、その動きが顔面への刺激となって刺激位置を使用者に知覚させる。なお、このように棒状の部材を軟質体３に内側から押し当てる手段として、モーターとカムを利用したり、空気や液体などの流動体を利用したピストンとシリンダーとを利用したりすることもできる。また図５における押圧体としての電磁石８は軟質体の内側に入っているが、はっきりとピンポイント認識させる必要があれば、押圧体が軟質体を貫通して露出し肌に直接触れる構成としても良い。肌に直接触れる押圧体先端の材質としては柔らかなブラシやゴムであっても良い。
【００１２】
図７は刺激位置を知覚させる装置が振動発生装置である実施例の略断面説明図である。ある程度の振動を許される状態で本体１の内部に備えられたハウジング１０には超小型モーター１１が偏芯おもり１２を有した状態でセットされており、超小型モーター１１が回転すると偏芯おもり１２によりモーターハウジング１０は振動を発生する。その振動が顔面への刺激となって刺激位置を使用者に知覚させる。なお、電磁式の超小型ブザーをハウジング１０内の軟質体３に近い部位に備えることによっても振動を発生させ刺激位置を知覚させることができる。
【００１３】
図８は刺激位置を知覚させる装置が温熱発生装置である実施例の略断面説明図である。軟質体３より先端の一部が露出するように本体１の内部に備えられたハウジング１３には発熱体１４がセットされており、発熱体１４が通電されることにより発熱するとハウジング１３はその熱を顔面皮膚に伝達する。ハウジング１３は金属製であることが熱伝導の観点からも適切であるが、使用し始める時の冷たい感じは少々不快であるため、顔面への接触部分には植毛処理を施すのが良い。図７においては最も分かり易い小型電球状の発熱体のイメージを示したが、耐久性から判断しても実際には小型の棒状発熱体や平面状発熱体を使用するのが一般的である。刺激位置を知覚させる装置が温熱発生装置である実施例の最大の特徴は、押圧発生装置や振動発生装置が機械音や振動音を発生させてトレーニングへの集中を多少なりとも妨害するのに比べ、全くの無音、無振動を実現できることにある。周囲に人がいる場所での使用でも迷惑をかけることがなく、トレーニングガイダンスや音楽を聴きながらの使用でも妨げになることは無い。また、３８度Ｃ〜４２度Ｃ程度の暖かさで眼の周囲を適宜に温熱刺激してくれるので心地よいという効果もある。
【００１４】
刺激位置を知覚させる装置が微弱電流発生装置である実施例は図示しないが、基本的構造は図７に近似したものである。ただし軟質体より露出する一方の電極であるハウジングに植毛することは導電性の面からも好ましくない。顔面接触部以外に接することを要求される他方の電極は腕や指にはめるリング状のものなどが扱いやすく好ましい。なお導電性向上の目的で接触部に水やジェルの使用を求めることもある。
【００１５】
本発明は、前記の実施例の形態に限定されるものではなく、部分的な改変や、構成要素である部品の数や形状や材質の変更などにより、実施の形態は変化する。なお、本発明の主体は刺激位置を知覚させる装置の実装方法にあるので、電源、配線、電子、制御系の説明は省略する。
【００１６】
【発明の効果】
本発明は、まぶたを閉じた状態でも使用することができるので、裸眼で至近距離に焦点を合わせることができないような老眼の方や遠視の方でも、「目標をはっきりと視認することができなくてイライラする、目標を追いかけるのがつらい。」といった不快感を覚えることなく、移動する目標に向かって視線を追従させることができるようになる。使用者は順次刺激を受けた方向を見ようとするだけで眼筋が働かされるので、実際に目標体を見なければならない従来技術とは異なり使用者の負担が軽く、毎日無理なくトレーニングを続けることができるようになる。目標を実際に視認する方式の従来装置では、スクリーン方式、モニター方式、ゴーグル方式などのいずれにおいても視角は最大で６０度程度であるが、本発明によれば、例えば、左右の眼球外側でこめかみ近傍を交互に刺激され、その刺激位置を交互に見ようと視線を動かした場合には、視角は１８０度近いものとなって眼球の動きもそれだけ大きくなり、トレーニングの効果も飛躍的に向上する。結果として老眼の方の眼筋の衰えを回復させ、眼筋の老化を遅らせることが可能となり、スポーツ選手の眼筋を鍛えて動体視力を向上させることができるようになり、健康的に有意義な効果を奏するものである。
【図面の簡単な説明】
【図１】実施例を装着側から見た参考図。
【図２】実施例を装着側から見た参考図。
【図３】接触部が４カ所である実施例の接触部位の略配置図。
【図４】接触部が６カ所である実施例の接触部位の略配置図。
【図５】接触部が１２カ所である実施例の接触部位の略配置図。
【図６】押圧発生装置を備えた実施例の接触部位の略断面説明図。
【図７】振動発生装置を備えた実施例の接触部位の略断面説明図。
【図８】温熱発生装置を備えた実施例の接触部位の略断面説明図。
【符号の説明】
１　　本体
２　　顔面への接触部
３　　軟質体
４　　電源スイッチ
５　　モードスイッチ
６　　電源用ジャック
７　　制御用ジャック
８　　電磁石
９　　磁石棒
１０　ハウジング
１１　超小型モーター
１２　偏芯おもり
１３　ハウジング
１４　発熱体
【図１】
2004000318.tif 000003
【図２】
2004000318.tif 000004
【図３】
2004000318.tif 000005
【図４】
2004000318.tif 000006
【図５】
2004000318.tif 000007
【図６】
2004000318.tif 000008
【図７】
2004000318.tif 000009
【図８】
2004000318.tif 000010
【手続補正書】
【提出日】平成14年12月10日(2002.12.10)
【手続補正１】
【補正対象書類名】明細書
【補正対象項目名】特許請求の範囲
【補正方法】変更
【補正の内容】
【特許請求の範囲】
【請求項１】
眼球の外周近傍に刺激位置を知覚させる刺激発生装置を２以上備えたアイマスクであって、配置された刺激発生装置を１か所ずつ作動させて使用者の視線を刺激位置方向に追従させることにより、目を開けて目標体を具体的に視認することを必要とせずに眼筋運動を行うことができることを特徴とするトレーニングアイマスク。
【請求項２】
刺激位置を知覚させる装置が押圧発生装置であることを特徴とする請求項１記載のトレーニングアイマスク。
【請求項３】
刺激位置を知覚させる装置が振動発生装置であることを特徴とする請求項１記載のトレーニングアイマスク。
【請求項４】
刺激位置を知覚させる装置が温熱発生装置であることを特徴とする請求項１記載のトレーニングアイマスク。
【請求項５】
刺激位置を知覚させる装置が微弱電流発生装置であることを特徴とする請求項１記載のトレーニングアイマスク。
【手続補正２】
【補正対象書類名】明細書
【補正対象項目名】発明の詳細な説明
【補正方法】変更
【補正の内容】
【発明の詳細な説明】
【０００１】
【発明が属する技術分野】
本発明は、移動する目標に向かって視線を追従させることにより眼筋を積極的に働かせて衰えた筋力を回復させたり、スポーツ選手の眼筋を鍛えて動体視力を向上させたりする眼筋のトレーニングアイマスクを得ることを目的とする。
【０００２】
【従来の技術】
従来広く一般的に知られた眼筋トレーニング方法による訓練や、眼筋トレーニング装置を使用する場合には、必ず目標となる何かを視認することを訓練者が要求されていた。体の前で片腕を回し、その移動する指先を目で追うトレーニング法は良く知られ効果の高いことも知られている。しかしその方法によると、少なくとも腕を回転することができる空間が必要であり、また実際にやってみると周囲の風景や部屋の内部風景がぐるぐると一緒に回って見えてしまうので、わずか数分間のトレーニングでも終了時にはめまいを覚え、平衡感覚の衰えた高年齢の方が屋外で起立した姿勢でそれを実行するのは危険でもあった。
【０００３】
そこで過去においてゴーグルタイプのトレーニング装置が数多く開発され、いくつかは市販もされている。それらゴーグルタイプのトレーニング装置によれば、広い空間も必要なく、腕を回したりして疲れることもなく、椅子に座ったままでもベッドに寝たままでもトレーニングが行えるので、めまいを覚えて倒れるなどの危険性もなく安全性も向上した。しかし、ゴーグルタイプのトレーニング装置はいずれも映像や発光ダイオードなどの光点を、実際に目で追わせるものばかりであった。近視の方ならば至近距離の映像や光点をはっきりと視認することができるのであろうが、遠視の方、または若かった頃に遠くがよく見えた方で老眼になられた方などでは至近距離の映像や光点をはっきりと視認することはほとんどできず、眼鏡の使用を強いられたり、あるいは日常生活用に使用している眼鏡レベルでは至近距離の目標をはっきりと視認することができなかったりするので、トレーニング自体がとてもつらいものとなり、たとえ３分でも毎日続ける、というような基本的なことができなくなってしまっていた。また、映像や光点や文字や記号などの具体的な目標体をハッキリ見ようと意識を集中して訓練を行う公知の技術では、訓練期間中のまばたきの回数は極端に少なくなってしまい、ドライアイ状態になってしまうなど、過酷な訓練となりやすい欠点があった。
【０００４】
【発明が解決しようとする課題】
一般的に人は３０歳代に入ると老眼になりはじめ、４０歳代に入ると老眼の進行は加速される。これは肉体的な老化に伴うものなので、一部例外的に視力がほとんど変化しない人を除いて、大半の人は老眼となってゆく。近視の人は、老眼になっても近くのものを見ることができるのが一般的であるが、若いときに視力が１．５〜２．０もあったような人が老眼になると、たいていの場合、目からの距離が２０ｃｍ以内の至近距離に焦点を合わせることはほとんどできず、市販薬の外箱に印刷されているような説明書の小さな文字などを読むことはほぼ不可能となってしまう。本発明は、裸眼で至近距離に焦点を合わせることができないような老眼の方や遠視の方でも、「目標をはっきりと視認することができなくてイライラする、目標を追いかけるのがつらい。」といった不快感を覚えることなく、移動する目標に向かって視線を追従させることにより眼筋を積極的に働かせて衰えた筋力を回復させたり、スポーツ選手の眼筋を鍛えて動体視力を向上させたりすることができる眼筋のトレーニングアイマスクを得ることを課題とする。
【０００５】
【課題を解決するための手段】
前記の課題は、前記各請求項に記載された手段によって達成される。
【０００６】
【発明の実施の形態】
具体的な実施形態を図１にて示す。ゴーグル形態の本体１と、顔面への接触部２ａ〜２ｊを備えた軟質体３とが外観をなす主たる構成要素であって、本体１には電源スイッチ４やトレーニングの難易度を切り替えるモードスイッチ５が取り付けられている。軟質体の具体例は軟質のゴム膜、発砲ゴム、軟質発泡ウレタンなどである。電源をアダプターを介して外部より取り入れるタイプにした場合などには、電源用ジャック６なども備えられるが、乾電池を本体に内蔵するタイプとすればそれは不要となる。接触部の内側に備えられた刺激発生装置をプログラムどおりに順次作動させるための基本制御装置は本体内部に備えるのが一般的であるが、「今度はもう少し速くしてみましょう。」とか「ここで２分間の休憩をとります。優しい感じの音楽を流しますので気持ちをリラックスさせ、十分に目を休ませて下さい。」というような内容のトレーニングガイダンスや音楽などをヘッドフォンを通じて流す方法等による場合には、パソコンや専用の外部機器を併用したりすることになるので、制御信号を外部から取り込むための制御用ジャック７を備えることにより本体外に基本制御装置を備えることもできる。また専任のトレーナーがついて使用者の個人的な眼の健康状態に応じたトレーニングを行う時には、図１のような１０カ所の接触部を備えた実施例においては、同時に２カ所以上のスイッチが入らないようにした１０方位ジョイスティックを用いて手動で刺激位置を知覚させる方法も有効であり、その場合にはスイッチと刺激装置とを１対１で対応させる直結状態にすることにより、特別なプログラムで作動させるような制御装置は不要となる。図２は両眼の左右外側２カ所の顔面への接触部を、ほぼこめかみの位置としたサングラスタイプの実施例の参考図である。各符号は全て図１の実施例と対応しているが、電源スイッチ４、モードスイッチ５、電源用ジャック６、制御用ジャック７は本体より分離されている。
【０００７】
【発明の実施例】
以下、本発明を実施例によって具体的に説明する。図３〜図５は、本発明に係る眼筋トレーニングアイマスクの実施例を顔面に装着した状態を説明する略式図であって、図中の黒い点は刺激位置を知覚させる装置の顔面への接触部位を示す。
【０００８】
図３のように最低４カ所の接触部位を備えれば、ある程度狭い範囲ではあるものの、およその４コーナーに視線を向けることにより眼球は少なくとも上下左右の動きに近い動きをすることになるので、眼筋の軽いジョギング状態を作り出すことが十分にできる。少々高齢な方の老眼進行を予防する目的には「無理をさせない。」という意味からも適しており、接触部位に係る部品点数も少ないので最も安価に装置を提供できる実施形態である。
【０００９】
図４のように６カ所の接触部位を備えれば、左右各々の眼球に対してほぼ十分な上下左右の方向指示と、およその斜め上下方向指示とを行うことができるので、一般的な眼筋の運動不足をほぼ解消でき、血行を良くして老化を予防する目的には十分であり、また接触部位に係る部品点数も図２の実施例の４に対して２しか増えないので、わずかなコスト上昇の割には効果が大きい実施例である。
【００１０】
図５のように１２カ所の接触部位を備えれば、左右各々の眼球に対して、上下左右の方向指示と斜め４５度方向指示の８方向指示を、ほぼ完全に行うことができる。この実施例は老化予防というよりも、指示点の移動のスピードを上げてゆくことによれば、ハードで正確な眼球の動きを要求されるスポーツ選手の眼筋訓練に最も望ましい実施形態である。
【００１１】
図６は刺激位置を知覚させる装置が押圧発生装置である実施例の略断面説明図である。本体１の内部に備えられた電磁石８には磁石棒９が貫通するように備えられており、電磁石８は通電されることにより磁石棒９を軟質体３を押す方向に動かし、その動きが顔面への刺激となって刺激位置を使用者に知覚させる。なお、このように棒状の部材を軟質体３に内側から押し当てる手段として、モーターとカムを利用したり、空気や液体などの流動体を利用したピストンとシリンダーとを利用したりすることもできる。また図５における押圧体としての電磁石８は軟質体の内側に入っているが、はっきりとピンポイント認識させる必要があれば、押圧体が軟質体を貫通して露出し肌に直接触れる構成としても良い。肌に直接触れる押圧体先端の材質としては柔らかなブラシやゴムであっても良い。
【００１２】
図７は刺激位置を知覚させる装置が振動発生装置である実施例の略断面説明図である。ある程度の振動を許される状態で本体１の内部に備えられたハウジング１０には超小型モーター１１が偏芯おもり１２を有した状態でセットされており、超小型モーター１１が回転すると偏芯おもり１２によりモーターハウジング１０は振動を発生する。その振動が顔面への刺激となって刺激位置を使用者に知覚させる。なお、電磁式の超小型ブザーやブザーの振動を拡大したり伝達させたりする目的の筒状や略円錐状の補助構造体などをハウジング１０内の軟質体３に近い部位に備えることによっても振動を発生させ刺激位置を知覚させることができる。
【００１３】
図８は刺激位置を知覚させる装置が温熱発生装置である実施例の略断面説明図である。軟質体３より先端の一部が露出するように本体１の内部に備えられたハウジング１３には発熱体１４がセットされており、発熱体１４が通電されることにより発熱するとハウジング１３はその熱を顔面皮膚に伝達する。ハウジング１３は金属製であることが熱伝導の観点からも適切であるが、使用し始める時の冷たい感じは少々不快であるため、顔面への接触部分には植毛処理を施すのが良い。図７においては最も分かり易い小型電球状の発熱体のイメージを示したが、耐久性から判断しても実際には小型の棒状発熱体や平面状発熱体を使用するのが一般的である。刺激位置を知覚させる装置が温熱発生装置である実施例の最大の特徴は、押圧発生装置や振動発生装置が機械音や振動音を発生させてトレーニングへの集中を多少なりとも妨害するのに比べ、全くの無音、無振動を実現できることにある。周囲に人がいる場所での使用でも迷惑をかけることがなく、トレーニングガイダンスや音楽を聴きながらの使用でも妨げになることは無い。また、３８度Ｃ〜４２度Ｃ程度の暖かさで眼の周囲を適宜に温熱刺激してくれるので心地よいという効果もある。
【００１４】
刺激位置を知覚させる装置が微弱電流発生装置である実施例は図示しないが、基本的構造は図７に近似したものである。ただし軟質体より露出する一方の電極であるハウジングに植毛することは導電性の面からも好ましくない。顔面接触部以外に接することを要求される他方の電極は腕や指にはめるリング状のものなどが扱いやすく好ましい。なお導電性向上の目的で接触部に水やジェルの使用を求めることもある。
【００１５】
本発明は、前記の実施例の形態に限定されるものではなく、部分的な改変や、構成要素である部品の数や形状や材質の変更などにより、実施の形態は変化する。なお、本発明の主体は刺激位置を知覚させる装置の実装方法にあるので、電源、配線、電子、制御系の説明は省略する。
【００１６】
【発明の効果】
本発明は、まぶたを閉じた状態でも使用することができるので、裸眼で至近距離に焦点を合わせることができないような老眼の方や遠視の方でも、「目標をはっきりと視認することができなくてイライラする、目標を追いかけるのがつらい。」といった不快感を覚えることなく、移動する目標に向かって視線を追従させることができるようになる。使用者は順次刺激を受けた方向を見ようとするだけで眼筋が働かされるので、実際に目標体を見なければならない従来技術とは異なり使用者の負担が軽く、毎日無理なくトレーニングを続けることができるようになる。目標を実際に視認する方式の従来装置では、スクリーン方式、モニター方式、ゴーグル方式などのいずれにおいても視角は最大で６０度程度であるが、本発明によれば、例えば、左右の眼球外側でこめかみ近傍を交互に刺激され、その刺激位置を交互に見ようと視線を動かした場合には、視角は１８０度近いものとなって眼球の動きもそれだけ大きくなり、トレーニングの効果も飛躍的に向上する。結果として老眼の方の眼筋の衰えを回復させ、眼筋の老化を遅らせることが可能となり、スポーツ選手の眼筋を鍛えて動体視力を向上させることができるようになり、健康的に有意義な効果を奏するものである。また本発明によれば目は閉じたままでも良いので、訓練に集中しても眼球の表面が乾くことはなく、ある程度長時間におよぶ訓練をおこなったとしても、目が乾いてしまって痛くなるなどという、いわゆるドライアイ症状に陥る心配もない。
【手続補正書】
【提出日】平成15年4月23日(2003.4.23)
【手続補正１】
【補正対象書類名】明細書
【補正対象項目名】全文
【補正方法】変更
【補正の内容】
【発明の詳細な説明】
【特許請求の範囲】
【請求項１】眼球の周囲に刺激位置を知覚させる刺激発生装置を２以上備えた眼の訓練器具であって、配置された刺激発生装置を１か所ずつ作動させて使用者の視線を刺激位置方向に追従させることにより、眼を開けて目標体を具体的に視認することを必要とせずに眼筋運動を行うことができることを特徴とする眼の訓練器具。
【請求項２】刺激位置を知覚させる装置が押圧発生装置であることを特徴とする請求項１記載の眼の訓練器具。
【請求項３】刺激位置を知覚させる装置が振動発生装置であることを特徴とする請求項１記載の眼の訓練器具。
【請求項４】刺激位置を知覚させる装置が温熱発生装置であることを特徴とする請求項１記載の眼の訓練器具。
【請求項５】刺激位置を知覚させる装置が微弱電流発生装置であることを特徴とする請求項１記載の眼の訓練器具。
【発明の詳細な説明】
【０００１】
【発明が属する技術分野】
本発明は、移動する目標に向かって視線を追従させることにより眼筋を積極的に働かせて衰えた筋力を回復させたり、スポーツ選手の眼筋を鍛えて動体視力を向上させたりする、眼筋のトレーニングを行う眼の訓練器具に関する。
【０００２】
【従来の技術】
従来広く一般的に知られた眼筋トレーニング方法による訓練や、眼筋トレーニング装置を使用する場合には、必ず目標となる何かを視認することを訓練者が要求されていた。体の前で片腕を回し、その移動する指先を目で追うトレーニング法は良く知られ効果の高いことも知られている。しかしその方法によると、少なくとも腕を回転することができる空間が必要であり、また実際にやってみると周囲の風景や部屋の内部風景がぐるぐると一緒に回って見えてしまうので、わずか数分間のトレーニングでも終了時にはめまいを覚え、平衡感覚の衰えた高年齢の方が屋外で起立した姿勢でそれを実行するのは危険でもあった。
【０００３】
そこで過去においてゴーグルタイプのトレーニング装置が数多く開発され、いくつかは市販もされている。それらゴーグルタイプのトレーニング装置によれば、広い空間も必要なく、腕を回したりして疲れることもなく、椅子に座ったままでもベッドに寝たままでもトレーニングが行えるので、めまいを覚えて倒れるなどの危険性もなく安全性も向上した。しかし、ゴーグルタイプのトレーニング装置はいずれも映像や発光ダイオードなどの光点を、実際に目で追わせるものばかりであった。近視の方ならば至近距離の映像や光点をはっきりと視認することができるのであろうが、遠視の方、または若かった頃に遠くがよく見えた方で老眼になられた方などでは至近距離の映像や光点をはっきりと視認することはほとんどできず、眼鏡の使用を強いられたり、あるいは日常生活用に使用している眼鏡レベルでは至近距離の目標をはっきりと視認することができなかったりするので、トレーニング自体がとてもつらいものとなり、たとえ３分でも毎日続ける、というような基本的なことができなくなってしまっていた。また、映像や光点や文字や記号などの具体的な目標体をハッキリ見ようと意識を集中して訓練を行う公知の技術では、訓練期間中のまばたきの回数は極端に少なくなってしまい、ドライアイ状態になってしまうなど、過酷な訓練となりやすい欠点があった。
【０００４】
【発明が解決しようとする課題】
一般的に人は３０歳代に入ると老眼になりはじめ、４０歳代に入ると老眼の進行は加速される。これは肉体的な老化に伴うものなので、一部例外的に視力がほとんど変化しない人を除いて、５０歳代に入ると大半の人は老眼となってゆく。近視の人は、老眼になっても近くのものを見ることができるのが一般的であるが、若いときに視力が１．５〜２．０もあったような人が老眼になると、たいていの場合、目からの距離が２０ｃｍ以内の至近距離に焦点を合わせることはほとんどできず、市販薬の外箱に印刷されているような説明書の小さな文字などを読むことはほぼ不可能となってしまう。本発明は、裸眼で至近距離に焦点を合わせることができないような老眼の方や遠視の方でも、「目標をはっきりと視認することができなくてイライラする、目標を追いかけるのがつらい。」といった不快感を覚えることなく、移動する目標に向かって視線を追従させることにより眼筋を積極的に働かせて衰えた筋力を回復させたり、スポーツ選手の眼筋を鍛えて動体視力を向上させたりすることができる、眼の訓練器具を得ることを課題とする。
【０００５】
【課題を解決するための手段】
前記の課題は、前記各請求項に記載された手段によって達成される。
【０００６】
【発明の実施の形態】
具体的な実施形態を図１にて示す。ゴーグル形態の本体１と、顔面への接触部２ａ〜２ｊを備えた軟質体３とが外観をなす主たる構成要素であって、本体１には電源スイッチ４やトレーニングの難易度を切り替えるモードスイッチ５が取り付けられている。軟質体の具体例は軟質のゴム膜、発砲ゴム、軟質発泡ウレタンなどである。電源をアダプターを介して外部より取り入れるタイプにした場合などには、電源用ジャック６なども備えられるが、乾電池を本体に内蔵するタイプとすればそれは不要となる。接触部の内側に備えられた刺激発生装置をプログラムどおりに順次作動させるための基本制御装置は本体内部に備えるのが一般的であるが、「今度はもう少し速くしてみましょう。」とか「ここで２分間の休憩をとります。優しい感じの音楽を流しますので気持ちをリラックスさせ、十分に目を休ませて下さい。」というような内容のトレーニングガイダンスや音楽などをヘッドフォンを通じて流す方法等による場合には、パソコンや専用の外部機器を併用したりすることになるので、制御信号を外部から取り込むための制御用ジャック７を備えることにより本体外に基本制御装置を備えることもできる。また専任のトレーナーがついて使用者の個人的な眼の健康状態に応じたトレーニングを行う時には、図１のような１０カ所の接触部を備えた実施例においては、同時に２カ所以上のスイッチが入らないようにした１０方位ジョイスティックを用いて手動で刺激位置を知覚させる方法も有効であり、その場合にはスイッチと刺激装置とを１対１で対応させる直結状態にすることにより、特別なプログラムで作動させるような制御装置は不要となる。図２は両眼の左右外側２カ所の顔面への接触部を、ほぼ、こめかみの位置としたサングラスタイプの実施例の参考図である。各符号は全て図１の実施例と対応しているが、電源スイッチ４、モードスイッチ５、電源用ジャック６、制御用ジャック７は本体より分離されている。
【０００７】
【発明の実施例】
以下、本発明を実施例によって具体的に説明する。図３〜図５は、本発明に係る眼筋トレーニングアイマスクの実施例を顔面に装着した状態を説明する略式図であって、図中の黒い点は刺激位置を知覚させる装置の顔面への接触部位を示す。
【０００８】
図３のように４カ所の接触部位を備えれば、ある程度狭い範囲ではあるものの、およその４コーナーに視線を向けることにより眼球は少なくとも上下左右の動きに近い動きをすることになるので、眼筋の軽いジョギング状態を作り出すことが十分にできる。少々高齢な方の老眼進行を予防する目的には「無理をさせない。」という意味からも適しており、接触部位に係る部品点数も少ないので最も安価に装置を提供できる実施形態である。
【０００９】
図４のように６カ所の接触部位を備えれば、左右各々の眼球に対してほぼ十分な上下左右の方向指示と、およその斜め上下方向指示とを行うことができるので、一般的な眼筋の運動不足をほぼ解消でき、血行を良くして老化を予防する目的には十分であり、また接触部位に係る部品点数も図２の実施例の４に対して２しか増えないので、わずかなコスト上昇の割には効果が大きい実施例である。
【００１０】
図５のように１２カ所の接触部位を備えれば、左右各々の眼球に対して、上下左右の方向指示と斜めの方向指示を、ほぼ完全に行うことができる。この実施例は老化予防というよりも、指示点の移動のスピードを上げてゆくことによれば、ハードで正確な眼球の動きを要求されるスポーツ選手の眼筋訓練に最も望ましい実施形態である。
【００１１】
図６は刺激位置を知覚させる装置が押圧発生装置である実施例の略断面説明図である。電磁石８は磁石棒９を中心としたコイルである。本体１の内部に備えられた電磁石８には磁石棒９が貫通するように備えられており、電磁石８は通電されることにより磁石棒９を軟質体３を押す方向に動かし、その動きが顔面への刺激となって刺激位置を使用者に知覚させる。なお、このように棒状の部材を軟質体３に内側から押し当てる手段として、モーターとカムを利用したり、空気や液体などの流動体を利用したピストンとシリンダーとを利用したりすることもできる。また、刺激位置に小さな風船状の装置を設け、空気や液体などの流動体を利用して押圧を発生させても良い。図６における押圧体としての磁石棒９は軟質体３の内側に入っているが、はっきりとピンポイント認識させる必要があれば、磁石棒９の先端が軟質体３を貫通して露出し、肌に直接触れる構成としても良い。肌に直接触れる押圧体先端の材質としては柔らかなブラシやゴムなどが良い。
【００１２】
図７は刺激位置を知覚させる装置が振動発生装置である実施例の略断面説明図である。ある程度の振動を許される状態で本体１の内部に備えられたハウジング１０には超小型モーター１１が偏芯おもり１２を有した状態でセットされており、超小型モーター１１が回転すると偏芯おもり１２によりモーターハウジング１０は振動を発生する。その振動が顔面への刺激となって刺激位置を使用者に知覚させる。電磁式の超小型ブザーや超小型スピーカーを振動発生装置として用いることもできる。超小型ブザーや超小型スピーカーによって作り出される振動を、拡大したり伝達させたりする目的の筒状や略円錐状の補助構造体などを利用しても良い。振動発生装置の一部が軟質体３より露出するように設けることによれば、刺激位置をより正確に知覚させることができる。
【００１３】
図８は刺激位置を知覚させる装置が温熱発生装置である実施例の略断面説明図である。第８図に示された、円形に囲まれたプラスとマイナスの記号は、電線が電源へとつながっている様子を表している。軟質体３より先端の一部が露出するように本体１の内部に備えられたハウジング１３には、発熱体１４がセットされており、発熱体１４が通電されることにより発熱するとハウジング１３はその熱を顔面皮膚に伝達する。ハウジング１３は金属製であることが熱伝導の観点からも適切であるが、使用し始める時の冷たい感じは少々不快であるため、顔面への接触部分には植毛処理を施すのが良い。図８においては最も分かり易い小型電球状の発熱体のイメージを示したが、安全性や耐久性から判断しても実際には小型の棒状発熱体や平面状発熱体を使用するのが一般的である。刺激位置を知覚させる装置が温熱発生装置である実施例の最大の特徴は、押圧発生装置や振動発生装置が機械音や振動音を発生させて、トレーニングへの集中を多少なりとも妨害する可能性があるのに比べ、全くの無音、無振動を実現できることにある。周囲に人がいる場所での使用でも迷惑をかけることがなく、トレーニングガイダンスや音楽を聴きながらの使用でも妨げになることはない。また、３８度Ｃ〜４２度Ｃ程度の暖かさで眼の周囲を適宜に温熱刺激してくれるので、心地よいという効果もある。
【００１４】
刺激位置を知覚させる装置が微弱電流発生装置である実施例は図示しないが、外見上の基本的形態は図８に近似したものである。なお導電性向上の目的で接触部に水やジェルの使用を求めることもある。
【００１５】
本発明は、前記の実施例の形態に限定されるものではなく、部分的な改変や、構成要素である部品の数や形状や材質の変更などにより、実施の形態は変化する。なお、本発明の主体は刺激位置を知覚させる装置の実装方法にあるので、電源、配線、電子制御系などの説明は省略する。
【００１６】
【発明の効果】
本発明は、まぶたを閉じた状態でも使用することができるので、裸眼で至近距離に焦点を合わせることができないような老眼の方や遠視の方、あるいは左右の視力に差があって目標体を見ることがつらい方でも、「目標をはっきりと視認することができなくてイライラする、目標を追いかけるのがつらい。」といった不快感を覚えることなく、移動する目標に向かって視線を追従させることができるようになる。使用者は順次刺激を受けた方向を見ようとするだけで眼筋が働かされるので、実際に目標体を見なければならない従来技術とは異なり使用者の負担が軽く、毎日無理なくトレーニングを続けることができるようになる。目標を実際に視認する方式の従来装置では、スクリーン方式、モニター方式、ゴーグル方式などのいずれにおいても視角は最大で６０度程度であるが、本発明によれば、例えば、左右のこめかみあたりを交互に刺激され、その刺激位置を交互に見ようと視線を動かした場合には、視角は１８０度近いものとなって眼球の動きもそれだけ大きくなり、トレーニングの効果も飛躍的に向上する。結果として老眼の方の眼筋の衰えを回復させ、眼筋の老化を遅らせることが可能となり、スポーツ選手の眼筋を鍛えて動体視力を向上させることができるようになり、健康的に有意義な効果を奏するものである。また本発明によれば眼は閉じたままでも良いので、訓練に集中しても眼球の表面が乾くことはなく、ある程度長時間におよぶ訓練をおこなったとしても、眼が乾いてしまって痛くなるなどという、いわゆるドライアイ症状に陥る心配もない。
【図面の簡単な説明】
【図１】実施例を装着側から見た参考図。
【図２】実施例を装着側から見た参考図。
【図３】接触部が４カ所である実施例の接触部位の略配置図。
【図４】接触部が６カ所である実施例の接触部位の略配置図。
【図５】接触部が１２カ所である実施例の接触部位の略配置図。
【図６】押圧発生装置を備えた実施例の接触部位の略断面説明図。
【図７】振動発生装置を備えた実施例の接触部位の略断面説明図。
【図８】温熱発生装置を備えた実施例の接触部位の略断面説明図。
【符号の説明】
１　　本体
２　　顔面への接触部
３　　軟質体
４　　電源スイッチ
５　　モードスイッチ
６　　電源用ジャック
７　　制御用ジャック
８　　電磁石
９　　磁石棒
１０　ハウジング
１１　超小型モーター
１２　偏芯おもり
１３　ハウジング
１４　発熱体
【手続補正２】
【補正対象書類名】図面
【補正対象項目名】全図
【補正方法】変更
【補正の内容】
【図１】
2004000318.tif 000011
【図２】
2004000318.tif 000012
【図３】
2004000318.tif 000013
【図４】
2004000318.tif 000014
【図５】
2004000318.tif 000015
【図６】
2004000318.tif 000016
【図７】
2004000318.tif 000017
【図８】
2004000318.tif 000018
【手続補正書】
【提出日】平成15年9月10日(2003.9.10)
【手続補正１】
【補正対象書類名】明細書
【補正対象項目名】全文
【補正方法】変更
【補正の内容】
【発明の詳細な説明】
【特許請求の範囲】
【請求項１】眼球の周囲に刺激位置を知覚させる刺激発生装置を２以上備えたアイマスクであって、配置された刺激発生装置を１か所ずつ作動させて使用者の視線を刺激位置方向に追従させることにより、眼を開けて目標体を具体的に視認することを必要とせずに眼筋運動を行うことができることを特徴とするトレーニングアイマスク。
【請求項２】刺激位置を知覚させる装置が押圧発生装置であることを特徴とする請求項１記載のトレーニングアイマスク。
【請求項３】刺激位置を知覚させる装置が振動発生装置であることを特徴とする請求項１記載のトレーニングアイマスク。
【請求項４】刺激位置を知覚させる装置が温熱発生装置であることを特徴とする請求項１記載のトレーニングアイマスク。
【請求項５】刺激位置を知覚させる装置が微弱電流発生装置であることを特徴とする請求項１記載のトレーニングアイマスク。
【発明の詳細な説明】
【０００１】
【発明が属する技術分野】
本発明は、移動する目標に向かって視線を追従させることにより眼筋を積極的に働かせ
て衰えた筋力を回復させたり、スポーツ選手の眼筋を鍛えて動体視力を向上させたりする眼筋のトレーニングを行うトレーニングアイマスクに関する。　　　【０００２】
【従来の技術】
従来広く一般的に知られた眼筋トレーニング方法による訓練や、眼筋トレーニング装置を使用する場合には、必ず目標となる何かを視認することを訓練者が要求されていた。体の前で片腕を回し、その移動する指先を目で追うトレーニング法は良く知られ効果の高いことも知られている。しかしその方法によると、少なくとも腕を回転することができる空間が必要であり、また実際にやってみると周囲の風景や部屋の内部風景がぐるぐると一緒に回って見えてしまうので、わずか数分間のトレーニングでも終了時にはめまいを覚え、平衡感覚の衰えた高年齢の方が屋外で起立した姿勢でそれを実行するのは危険でもあった。　　　【０００３】
そこで過去においてゴーグルタイプのトレーニング装置が数多く開発され、いくつかは市販もされている。それらゴーグルタイプのトレーニング装置によれば、広い空間も必要なく、腕を回したりして疲れることもなく、椅子に座ったままでもベッドに寝たままでもトレーニングが行えるので、めまいを覚えて倒れるなどの危険性もなく安全性も向上した。しかし、ゴーグルタイプのトレーニング装置はいずれも映像や発光ダイオードなどの光点を、実際に目で追わせるものばかりであった。近視の方ならば至近距離の映像や光点をはっきりと視認することができるのであろうが、遠視の方、または若かった頃に遠くがよく見えた方で老眼になられた方などでは至近距離の映像や光点をはっきりと視認することはほとんどできず、眼鏡の使用を強いられたり、あるいは日常生活用に使用している眼鏡レベルでは至近距離の目標をはっきりと視認することができなかったりするので、トレーニング自体がとてもつらいものとなり、たとえ３分でも毎日続ける、というような基本的なことができなくなってしまっていた。
【０００４】
【発明が解決しようとする課題】
一般的に人は３０歳代に入ると老眼になりはじめ、４０歳代に入ると老眼の進行は加速され
る。これは肉体的な老化に伴うものなので、一部例外的に視力がほとんど変化しない人を除いて、大半の人は老眼となってゆく。近視の人は、老眼になっても近くのものを見ることができるのが一般的であるが、若いときに視力が１．５〜２．０もあったような人が老眼にな
ると、たいていの場合、目からの距離が２０ｃｍ以内の至近距離に焦点を合わせることはほと
んどできず、市販薬の外箱に印刷されているような説明書の小さな文字などを読むことはほぼ不可能となってしまう。本発明は、裸眼で至近距離に焦点を合わせることができないような老眼の方や遠視の方でも、「目標をはっきりと視認することができなくてイライラする、目標を追いかけるのがつらい。」といった不快感を覚えることなく、移動する目標に向かって視線を追従させることにより眼筋を積極的に働かせて衰えた筋力を回復させたり、スポーツ選手の眼筋を鍛えて動体視力を向上させたりすることができる眼筋のトレーニングアイマスクを得ることを課題とする。
【０００５】
【課題を解決するための手段】
前記の課題は、前記各請求項に記載された手段によって達成される。
【０００６】
【発明の実施の形態】
具体的な実施形態を図１にて示す。ゴーグル形態の本体１と、顔面への接触部２ａ〜２ｊを備えた軟質体３とが外観をなす主たる構成要素であって、本体１には電源スイッチ４やトレーニングの難易度を切り替えるモードスイッチ５が取り付けられている。軟質体の具体例は軟質のゴム膜、発砲ゴム、軟質発泡ウレタンなどである。電源をアダプターを介して外部より取り入れるタイプにした場合などには、電源用ジャック６なども備えられるが、乾電池を本体に内蔵するタイプとすればそれは不要となる。接触部の内側に備えられた刺激発生装置をプログラムどおりに順次作動させるための基本制御装置は本体内部に備えるのが一般的であるが、「今度はもう少し速くしてみましょう。」とか「ここで２分間の休憩をとります。優しい感じの音楽を流しますので気持ちをリラックスさせ、十分に目を休ませて下さい。」というような内容のトレーニングガイダンスや音楽などをヘッドフォンを通じて流す方法等による場合には、パソコンや専用の外部機器を併用したりすることになるので、制御信号を外部から取り込むための制御用ジャック７を備えることにより本体外に基本制御装置を備えることもできる。また専任のトレーナーがついて使用者の個人的な眼の健康状態に応じたトレーニングを行う時には、図１のような１０カ所の接触部を備えた実施例においては、同時に２カ所以上のスイッチが入らないようにした１０方位ジョイスティックを用いて手動で刺激位置を知覚させる方法も有効であり、その場合にはスイッチと刺激装置とを１対１で対応させる直結状態にすることにより、特別なプログラムで作動させるような制御装置は不要となる。図２は両眼の左右外側２カ所の顔面への接触部を、ほぼこめかみの位置としたサングラスタイプの実施例の参考図である。各符号は全て図１の実施例と対応しているが、電源スイッチ４、モードスイッチ５、電源用ジャック６、制御用ジャック７は本体より分離されている。
【０００７】
【発明の実施例】
以下、本発明を実施例によって具体的に説明する。図３〜図５は、本発明に係る眼筋トレーニングアイマスクの実施例を顔面に装着した状態を説明する略式図であって、図中の黒い点は刺激位置を知覚させる装置の顔面への接触部位を示す。
【０００８】
図３のように最低４カ所の接触部位を備えれば、ある程度狭い範囲ではあるものの、およその４コーナーに視線を向けることにより眼球は少なくとも上下左右の動きに近い動きをすることになるので、眼筋の軽いジョギング状態を作り出すことが十分にできる。少々高齢な方の老眼進行を予防する目的には「無理をさせない。」という意味からも適しており、接触部位に係る部品点数も少ないので最も安価に装置を提供できる実施形態である。　　　【０００９】
図４のように６カ所の接触部位を備えれば、左右各々の眼球に対してほぼ十分な上下左右の方向指示と、およその斜め上下方向指示とを行うことができるので、一般的な眼筋の運動不足をほぼ解消でき、血行を良くして老化を予防する目的には十分であり、また接触部位に係る部品点数も図２の実施例の４に対して２しか増えないので、わずかなコスト上昇の割には効果が大きい実施例である。
【００１０】
図５のように１２カ所の接触部位を備えれば、左右各々の眼球に対して、上下左右の方向指示と斜め４５度方向指示の８方向指示を、ほぼ完全に行うことができる。この実施例は老化予防というよりも、指示点の移動のスピードを上げてゆくことによれば、ハードで正確な眼球の動きを要求されるスポーツ選手の眼筋訓練に最も望ましい実施形態である。　　　【００１１】
図６は刺激位置を知覚させる装置が押圧発生装置である実施例の略断面説明図である。本体１の内部に備えられた電磁石８には磁石棒９が貫通するように備えられており、電磁石８は通電されることにより磁石棒９を軟質体３を押す方向に動かし、その動きが顔面への刺激となって刺激位置を使用者に知覚させる。なお、このように棒状の部材を軟質体３に内側から押し当てる手段として、モーターとカムを利用したり、空気や液体などの流動体を利用したピストンとシリンダーとを利用したりすることもできる。また図５における押圧体としての電磁石８は軟質体の内側に入っているが、はっきりとピンポイント認識させる必要があれば、押圧体が軟質体を貫通して露出し肌に直接触れる構成としても良い。肌に直接触れる押圧体先端の材質としては柔らかなブラシやゴムであっても良い。
【００１２】
図７は刺激位置を知覚させる装置が振動発生装置である実施例の略断面説明図である。ある程度の振動を許される状態で本体１の内部に備えられたハウジング１０には超小型モーター１１が偏芯おもり１２を有した状態でセットされており、超小型モーター１１が回転すると偏芯おもり１２によりモーターハウジング１０は振動を発生する。その振動が顔面への刺激となって刺激位置を使用者に知覚させる。なお、電磁式の超小型ブザーをハウジング１０内の軟質体３に近い部位に備えることによっても振動を発生させ刺激位置を知覚させることができる。
【００１３】
図８は刺激位置を知覚させる装置が温熱発生装置である実施例の略断面説明図である。軟質体３より先端の一部が露出するように本体１の内部に備えられたハウジング１３には発熱体１４がセットされており、発熱体１４が通電されることにより発熱するとハウジング１３はその熱を顔面皮膚に伝達する。ハウジング１３は金属製であることが熱伝導の観点からも適切であるが、使用し始める時の冷たい感じは少々不快であるため、顔面への接触部分には植毛処理を施すのが良い。図７においては最も分かり易い小型電球状の発熱体のイメージを示したが、耐久性から判断しても実際には小型の棒状発熱体や平面状発熱体を使用するのが一般的である。刺激位置を知覚させる装置が温熱発生装置である実施例の最大の特徴は、押圧発生装置や振動発生装置が機械音や振動音を発生させてトレーニングへの集中を多少なりとも妨害するのに比べ、全くの無音、無振動を実現できることにある。周囲に人がいる場所での使用でも迷惑をかけることがなく、トレーニングガイダンスや音楽を聴きながらの使用でも妨げになることは無い。また、３８度Ｃ〜４２度Ｃ程度の暖かさで眼の周囲を適宜に温熱刺激してくれるので心地よいという効果もある。
【００１４】
刺激位置を知覚させる装置が微弱電流発生装置である実施例は図示しないが、基本的構造は図７に近似したものである。ただし軟質体より露出する一方の電極であるハウジングに植毛することは導電性の面からも好ましくない。顔面接触部以外に接することを要求される他方の電極は腕や指にはめるリング状のものなどが扱いやすく好ましい。なお導電性向上の目的で接触部に水やジェルの使用を求めることもある。
【００１５】
本発明は、前記の実施例の形態に限定されるものではなく、部分的な改変や、構成要素である部品の数や形状や材質の変更などにより、実施の形態は変化する。なお、本発明の主体は刺激位置を知覚させる装置の実装方法にあるので、電源、配線、電子、制御系の説明は省略する。
【００１６】
【発明の効果】
本発明は、まぶたを閉じた状態でも使用することができるので、裸眼で至近距離に焦点を合わせることができないような老眼の方や遠視の方でも、「目標をはっきりと視認することができなくてイライラする、目標を追いかけるのがつらい。」といった不快感を覚えることなく、移動する目標に向かって視線を追従させることができるようになる。使用者は順次刺激を受けた方向を見ようとするだけで眼筋が働かされるので、実際に目標体を見なければならない従来技術とは異なり使用者の負担が軽く、毎日無理なくトレーニングを続けることができるようになる。目標を実際に視認する方式の従来装置では、スクリーン方式、モニター方式、ゴーグル方式などのいずれにおいても視角は最大で６０度程度であるが、本発明によれば、例えば、左右の眼球外側でこめかみ近傍を交互に刺激され、その刺激位置を交互に見ようと視線を動かした場合には、視角は１８０度近いものとなって眼球の動きもそれだけ大きくなり、トレーニングの効果も飛躍的に向上する。結果として老眼の方の眼筋の衰えを回復させ、眼筋の老化を遅らせることが可能となり、スポーツ選手の眼筋を鍛えて動体視力を向上させることができるようになり、健康的に有意義な効果を奏するものである。
【図面の簡単な説明】
【図１】実施例を装着側から見た参考図。
【図２】実施例を装着側から見た参考図。
【図３】接触部が４カ所である実施例の接触部位の略配置図。
【図４】接触部が６カ所である実施例の接触部位の略配置図。
【図５】接触部が１２カ所である実施例の接触部位の略配置図。
【図６】押圧発生装置を備えた実施例の接触部位の略断面説明図。
【図７】振動発生装置を備えた実施例の接触部位の略断面説明図。
【図８】温熱発生装置を備えた実施例の接触部位の略断面説明図。
【符号の説明】
１　　本体
２　　顔面への接触部
３　　軟質体
４　　電源スイッチ
５　　モードスイッチ
６　　電源用ジャック
７　　制御用ジャック
８　　電磁石
９　　磁石棒
１０　ハウジング
１１　超小型モーター
１２　偏芯おもり
１３　ハウジング
１４　発熱体